(57)【要約】【課題】人力で保持可能で、測定位置の画像確認が可能な可搬型Ｘ線回折計測装置を提供する。【解決手段】可搬型Ｘ線回折装置を、平行なＸ線を試料に斜め方向から照射するＸ線照射手段と、このＸ線照射手段によりＸ線が照射された試料で回折したＸ線のうち平行な成分の回折Ｘ線を集光して検出する回折Ｘ線検出手段と、回折Ｘ線を検出した前記回折Ｘ線検出手段から出力される信号を処理する信号処理手段とを備えて構成し、平行な連続波長のＸ線を試料に照射し、このＸ線が照射された試料で回折した回折Ｘ線から平行な成分を抽出してこの抽出した回折Ｘ線の平行な成分を集光し、この集光した回折Ｘ線をエネルギー分散型の検出素子で検出し、この検出素子で検出して得た信号を処理するＸ線回折方法とした。【選択図】図１
2015062039.tif 000002
【特許請求の範囲】
【請求項１】
平行なＸ線を試料に方向から照射するＸ線照射手段と、
該Ｘ線照射手段によりＸ線が照射された試料で回折したＸ線のうち平行な成分の回折Ｘ
線を集光して検出する回折Ｘ線検出手段と、
前記回折Ｘ線を検出した前記回折Ｘ線検出手段から出力される信号を処理する信号処理
手段と、
を備えたことを特徴とする可搬型Ｘ線回折装置。
【請求項２】
前記試料の前記Ｘ線を照射する箇所を撮像する撮像手段と
該撮像して得た画像を表示する表示手段と
を更に備えたことを特徴とする請求項１記載の可搬型Ｘ線回折装置。
【請求項３】
前記Ｘ線照射手段は、
連続波長のＸ線を発生するＸ線管と、
該Ｘ線管で発生させたＸ線の光路を開閉するシャッタ手段と、
前記Ｘ線管で発生させたＸ線を平行化して試料に斜め方向から照射する照射光学手段と
、
前記Ｘ線管と前記シャッタ手段と前記照射光学手段とを内装するＸ線照射部筐筒と
を備えたことを特徴とする請求項１又は２に記載の可搬型Ｘ線回折装置。
【請求項４】
前記照射光学手段は、スリットまたはポリキャピラリで形成されていることを特徴とす
る請求項３記載の可搬型Ｘ線回折装置。
【請求項５】
前記回折Ｘ線検出手段は、
前記Ｘ線照射手段によりＸ線が照射された前記試料で回折したＸ線を入射させて平行な
成分を集光する受光光学素子と、
該受光光学素子で集光された回折Ｘ線を検出する検出光学素子と、
前記受光光学素子と前記検出光学素子とを内装するＸ線検出部筐体と
を備えたことを特徴とする請求項１乃至４の何れかに記載の可搬型Ｘ線回折装置。
【請求項６】
前記受光光学素子はポリキャピラリで構成され、該ポリキャピラリの前記試料からの回
折Ｘ線が入射する側は平行に形成され、前記回折Ｘ線を出射する側はその断面が前記入射
する側の断面よりも小さく形成されていることを特徴とする請求項５記載の可搬型Ｘ線回
折装置。
【請求項７】
前記検出光学素子はエネルギー分散型の検出器で構成されていることを特徴とする請求
項５記載の可搬型Ｘ線回折装置。
【請求項８】
前記エネルギー分散型の検出器は、シリコンドリフト型半導体検出器（ＳＤＤ）である
ことを特徴とする請求項７記載の可搬型Ｘ線回折装置。
【請求項９】
平行な連続波長のＸ線を試料に照射し、
該Ｘ線が照射された前記試料で回折した回折Ｘ線から平行な成分を選択して該選択した
回折Ｘ線の平行な成分を集光し、
該集光した回折Ｘ線をエネルギー分散型の検出素子で検出し、
該検出素子で検出して得た信号を処理する
ことを特徴とするＸ線回折方法。
【請求項１０】
前記平行な連続波長のＸ線を、スリットまたはポリキャピラリを用いて形成することを特
徴とする請求項９記載のＸ線回折方法。
【請求項１１】
試料のＸ線を照射する箇所を撮像し、
該撮像された試料のＸ線を照射する箇所の画像を表示し、
Ｘ線管で連続波長のＸ線を発生し、
該Ｘ線管で発生させたＸ線を平行化して前記画像が表示された試料のＸ線を照射する箇
所に斜め方向から照射し、
該Ｘ線が照射された試料で回折したＸ線から平行な成分を選択して集光させ、
該選択して集光させた回折Ｘ線を検出素子で検出し、
該検出素子で検出した信号を処理する、
ことを特徴とするＸ線回折方法。
【請求項１２】
前記Ｘ線管で発生させたＸ線を平行化することを、スリットまたはポリキャピラリを用い
て行うことを特徴とする請求項１１記載のＸ線回折方法。
【請求項１３】
前記試料で回折したＸ線から平行な成分を選択して集光させることを、前記試料で回折
したＸ線をポリキャピラリに入射させ、該ポリキャピラリに入射させた回折Ｘ線のうち平
行な成分の回折Ｘ線を前記ポリキャピラリの前記回折Ｘ線が入射する側よりも径が小さい
出射側から出射させることにより行うことを特徴とする請求項９または１１に記載のＸ線
回折方法。
【請求項１４】
前記選択して集光させた回折Ｘ線をエネルギー分散型の検出素子で検出することを特徴
とする請求項１１記載のＸ線回折方法。
【発明の詳細な説明】
【技術分野】
【０００１】
本発明は、Ｘ線管が発生する連続波長のＸ線を試料に照射して材料の分析を行うＸ線回
折方法及びそれを用いた可搬型Ｘ線回折装置に関する。
【背景技術】
【０００２】
Ｘ線回折法は未知結晶試料の材料同定やの大きな試料の一部分又は各種基板に搭載され
た試料の測定方法としてその利用方法が確立されてきた。これに伴い、従来建物の中で使
われてきた分析装置が屋外でも使用できるような計測装置の要求が大きくなってきた。近
年の電子技術の進展により、電源や制御回路が小型・軽量・低消費電力化されてきた。し
かしながら、通常のＸ線回折法では、試料位置が所定の位置からずれると測定精度あるい
は感度が悪化するという問題点があり、ゴニオメータと呼ばれる機械式の測角器を用いて
試料位置が所定の位置にあるようなＸ線回折測定を行っていた。
【０００３】
従来方法は、例えば、非特許文献１にも記載されるように、試料、Ｘ線源、検出器を特
定の配置に可動維持する測角器（ゴニオメータ）を用いた計測装置が開発されている。一
方、特定部分Ｘ線回折の計測を目的とした可搬型Ｘ線回折装置が特許文献１に記載されて
いる。
【０００４】
また、非特許文献２には、Ｘ線光子のエネルギー分析が可能なＸ線検出器を用いたＸ線
測角器の無いＸ線回折測定方法が記載されている。
【先行技術文献】
【特許文献】
【０００５】
【特許文献１】米国特許第７６４６８４７号
【非特許文献】
【０００６】
【非特許文献１】Jenkins & Snyder, Introduction to X-ray Powder Diffractometry, 1996, John  Wiley & Sons, Inc. pp178-203
【非特許文献２】International Center for Diffraction Data2003,  Advances in X-ray Analysis、Vol.14  pp98-105
【発明の概要】
【発明が解決しようとする課題】
【０００７】
一般的に、Ｘ線回折の測定はＸ線回折角度に対するＸ線回折強度をＸ線検出器により測
定するため、角度毎に試料や検出器の角度と位置を移動させて測定する必要があった。そ
のためＸ線源や検出器の保持や角度移動の精度確保のために、機械式の測角器は必然的に
重量を必要とし、可搬型Ｘ線回折装置として用いることに困難があった。
【０００８】
また、角度移動を必要としないエネルギー分析型Ｘ線回折装置はＸ線検出器が大型であ
るとともに、Ｘ線回折測定精度を確保するため、試料検出器間距離を離す等の設定がなさ
れており、重量及び寸法で可搬型Ｘ線回折装置を構成するには困難があった。
【０００９】
非特許文献１にも記載されている測角器は機械式であり、小型・軽量化することは困難
であった。また特許文献１に記載されている装置では、装置を試料に設置するための治具
及び複数の２次元検出器を用いた複雑な構成の装置とする必要があった。更に、非特許文
献２に記載されているＸ線測角器の無いＸ線回折測定方法では、Ｘ線検出器を液体窒素温
度に冷却する必要があり、大型の冷媒容器が必要であるとともに、計測精度を得るために
試料検出器間距離を離す構成となっており、必ずしも可搬型Ｘ線回折装置として用いられ
るものではなかった。
【００１０】
本発明は、上述した従来技術における問題点に鑑みて達成されたものであり、その目的
は、小型かつ軽量なＸ線回折装置を実現し、人力により保持しての使用条件でも充分に安
定した精度のデータ取得が可能なＸ線回折方法及びそれを用いた可搬型Ｘ線回折装置を提
供することである。
【課題を解決するための手段】
【００１１】
本発明は、上述したように、人力で保持可能な小型・軽量の可搬型Ｘ線回折装置の実現
に鑑みて達成されたものであり、特に、以下に述べる発明者による知見によるものである
。即ち、Ｘ線回折計測を行う場合、従来は入射Ｘ線と試料と回折Ｘ線の位置関係が確実に
保持されるような条件で計測を行ってきた。例えば、Ｘ線管から放射される特性Ｘ線（タ
ーゲットがＣｕの場合、Ｋα１の波長は0.154056nm）を用いて、試料からの回折Ｘ線を計
測する。この計測条件はBraggの法則に基づいており、Ｘ線管と試料とＸ線検出器の位置
関係が正確に保たれるよう、ゴニオメータと呼ばれる機械式の角度設定機を用いていた。
この機械式ゴニオメータは重量が大きく、必ずしも人力で保持して測定するための装置と
しては不適当であり、人力で保持されるため試料位置のずれに測定が影響されず、ゴニオ
メータを用いないで構成されるＸ線回折方法及びそれを用いたＸ線回折装置が望まれてい
た。
【００１２】
上記した目的を達成するために、本発明では、可搬型Ｘ線回折装置を、平行なＸ線を試
料に照射するＸ線照射手段と、このＸ線照射手段によりＸ線が照射された試料で回折した
Ｘ線のうち平行な成分の回折Ｘ線を集光して検出する回折Ｘ線検出手段と、回折Ｘ線を検
出した前記回折Ｘ線検出手段から出力される信号を処理する信号処理手段とを備えて構成
した。
【００１３】
また、上記した目的を達成するために、本発明では、平行な連続波長のＸ線を試料に照
射し、このＸ線が照射された試料で回折した回折Ｘ線から平行な成分を抽出してこの抽出
した回折Ｘ線の平行な成分を集光し、この集光した回折Ｘ線をエネルギー分散型の検出素
子で検出し、この検出素子で検出して得た信号を処理するＸ線回折方法とした。
【００１４】
更に、上記した目的を達成するために、本発明では、試料のＸ線を照射する箇所を撮像
し、この撮像された試料のＸ線を照射する箇所の画像を表示し、Ｘ線管で連続波長のＸ線
を発生し、Ｘ線管で発生させたＸ線を平行化して画像を表示された試料のＸ線を照射する
箇所に斜め方向から照射し、このＸ線が照射された試料で回折したＸ線から平行な成分を
選択して集光させ、この選択して集光させた回折Ｘ線を検出素子で検出し、この検出素子
で検出した信号を処理するＸ線回折方法とした。
【発明の効果】
【００１５】
本発明によれば、人力で運搬保持可能な大きさ・重量のＸ線回折装置を実現するととも
に、大型試料の特定部分の顕微鏡画像を表示ディスプレイで観察しながらＸ線回折計測す
ることを可能にすると共に、表面に凹凸があったり位置がずれ易い試料であっても、安定
して、特定部分のＸ線計測が可能なＸ線回折方法及びそれを用いた可搬型Ｘ線計測装置を
提供することができる。
【図面の簡単な説明】
【００１６】
【図１】可搬型Ｘ線回折装置の概略構成を示す正面図である。
【図２】Ｘ線回折装置における試料位置の変動に対する回折Ｘ線の位置変動を説明する図である。
【図３】Ｘ線回折装置において、受光光学素子による検出する回折Ｘ線角度幅とＸ線検出器に入射する受光径の縮小を説明する図である。
【図４】上記実施例の可搬型Ｘ線回折装置において、Ｘ線回折計測モジュールについて説明する図である。
【図５】上記実施例の可搬型Ｘ線回折装置において、Ｘ線発生装置（Ｘ線管）の高圧電源実装方法について説明する図である。
【図６】可搬型Ｘ線回折装置のＸ線発生装置（Ｘ線管）の高圧電源実装方法について説明する図である。
【図７】上記実施例の可搬型Ｘ線回折装置において、Ｘ線発生装置（Ｘ線管）の重量を低減する方法について説明する図である。
【図８】Ｘ線検出器の検出信号の一例を示すグラフである。
【発明を実施するための形態】
【００１７】
以下、本発明の実施の形態について、添付の図面を参照しながら詳細に説明する。
【００１８】
図１は、本発明の実施例になる可搬型Ｘ線回折装置１００の全体構成を示す図である。
Ｘ線照射部２０側の筐筒２１の内部には、Ｘ線発生用Ｘ線管１、Ｘ線シャッタ２、試料照
射用Ｘ線光学素子３、Ｘ線透過用窓２２、Ｘ線検出部３０側の筐筒３１の内部にはＸ線透
過窓３２、回折Ｘ線受光光学素子４、Ｘ線検出器５が内装されている。更に、試料観察部
６、Ｘ線発生用高圧電源７、検出器信号処理部８、高圧電源及びシャッタ開閉制御部９、
データ処理及び表示制御部１０、蓄電部１１、電源ケーブル１２、ハンドル１３、シャッ
タ開閉スイッチ１４、そして、折り畳み式データ表示部１５が筐体部５０に搭載されてい
る。
【００１９】
Ｘ線照射部２０側の筐筒２１とＸ線検出部３０側の筐筒３１とは互いに空間的に接続し
ており、それぞれ筐体部５０に装着されている。また、Ｘ線照射部２０側の筐筒２１とＸ
線検出部３０側の筐筒３１とは図示していない真空排気手段により、内部が真空に排気さ
れる。更に、Ｘ線照射部２０側の筐筒２１とＸ線検出部３０側の筐筒３１との試料２００
の側の面には、Ｘ線照射部２０側から試料２００に照射したＸ線が外部に漏れるのを防止
するためのリング状の防Ｘ線シールド試料接触部４０が装着されており、接触部４１が試
料２００と接触してＸ線が外部に漏れるのを防止する。
【００２０】
上記した構成において、Ｘ線発生用Ｘ線管１で発生したＸ線を、シャッタ開閉スイッチ
１３によりＸ線シャッタ２の開閉を行うことによって試料への照射のOn/Offを行う。シャ
ッタ開閉スイッチ１３によりシャッタ２が開の状態でＸ線発生用Ｘ線管１で発生したＸ線
は試料照射用Ｘ線光学素子３を透過して試料２００に照射される。  
試料照射用Ｘ線光学素子３は、Ｘ線発生用Ｘ線管１で発生したＸ線を平行化して試料２
００に照射する役割をもち、本実施例ではＸ線発生用Ｘ線管１のＸ線焦点１６と同様なサ
イズの開口をもつスリットを用いた。この試料照射用Ｘ線光学素子３には平行管タイプの
モノキャピラリであっても良いし、平行管タイプのモノキャピラリを複数束ねて形成した
ポリキャピラリ型の素子としてもよい。
【００２１】
Ｘ線が照射された試料で反射(散乱も含む)したＸ線の一部は回折Ｘ線受光光学素子４に
入射してＸ線検出器５に到達する。回折Ｘ線受光光学素子４には平行管タイプのモノキャ
ピラリを複数束ねて形成したポリキャピラリ型の素子を用いた。このポリキャピラリ型回
折Ｘ線受光光学素子４に入射した試料２００で反射したＸ線は平行成分がポリキャピラリ
型回折Ｘ線受光光学素子４を透過し、Ｘ線のエネルギー分解能をもつＸ線検出器５に入射
して、試料からの回折Ｘ線を計測する。ここでポリキャピラリ型回折Ｘ線受光光学素子４
は、出射したＸ線がＸ線検出器５の検出面(図示せず)上に集光するように形成されている
。
【００２２】
Ｘ線検出器５でＸ線を検出して得られたアナログ信号は検出器信号処理部８でデータ処
理可能なデジタル化され、データ処理及び表示制御部１０で処理され、その結果が折り畳
み式データ表示部１４に表示する。また、本実施例による可搬型Ｘ線回折計測装置１００
のＸ線回折計測のＸ線の光軸中心を図中の１点鎖線ａ及びｂで示す。
【００２３】
図１で示した本実施例のうち、図２に於いて、Ｘ線回折計測のＸ線の光軸中心ａに対し
試料１００の位置は理想的にはＳの位置である。人手により保持された可搬型Ｘ線回折計
測装置１００での実際の測定に於いて、理想位置に試料２００を保持し続けることは困難
であり、図２に示すようにＬで示す量だけ変動する（ずれる）ことが想定される。このと
きの回折を生ずる試料２００の位置はＳ１からＳ２の間（変動幅Ｌ）になる。
【００２４】
このときＸ線検出部３０の側に図１に示したようなポリキャピラリ型回折Ｘ線受光光学
素子４が無く、試料１００で反射したＸ線が角度θ２の方向に直進すると仮定すると、回
折Ｘ線を検出するための受光光学素子５’の断面上での回折Ｘ線の光軸中心ｂのずれ幅Ｄ
０は下式（数１）で表される。
Ｄ０＝L×sin(θ1+θ2)／sin((θ1+θ2)／２)  ・・・・・  （数１）
ここで、θ1は試料照射用Ｘ線光学素子３の試料への入射角度、θ2は試料で回折したＸ
線の出射角度である。θ１とθ２とは、何れも１０°〜６０°の範囲に設定される。入射
Ｘ線のビーム径をｄとすると、試料位置がＬだけずれても回折Ｘ線が安定して計測するこ
とができるようにするためには、Ｘ線検出器５’の受光面が下式（数２）で示されるよう
な数値Ｄ１よりも大きくなければならない。
【００２５】
Ｄ１＝ｄ＋Ｄ
＝ｄ＋L×sin(θ1+θ2)／sin((θ1+θ2)／２)  ・・・  （数２）
次に図１に示した回折Ｘ線受光光学素子４に回折Ｘ線ビームを取り込むためのＸ線検出
部３０の原理の一部について図３を用いて説明する。本実施例では、回折Ｘ線受光光学素
子４として平行管タイプのモノキャピラリを束ねて形成した平行部分をもつポリキャピラ
リを用いた。ポリキャピラリは平滑なガラス細管内面でのＸ線の全反射を利用してＸ線ビ
ームの形状を変換することが可能である。石英ガラスでの全反射臨界角はＸ線の波長（エ
ネルギー）によって異なるが、Ｘ線波長０．０８３nm、エネルギー１５keVに対しおよそ
０．１２５度(２．２mrad)である。
【００２６】
図３に於いて、ガラス管内壁径が２００nmのモノキャピラリを束状に集めて形成したポ
リキャピラリ４のとき、全反射臨界角の角度でポリキャピラリ４に入射したＸ線は約１０
０μmに１回全反射することになり、図３のＴ１長さ１０mmの平行ポリキャピラリ４では
１００回全反射を生ずる。このとき全反射の反射率が０．９９とすると、０．１２５度で
ポリキャピラリ４の入射端４０１の側から入射したＸ線はポリキャピラリ内部でほとんど
吸収される。全反射臨界角の半分の０．０６度程度で入射したＸ線は全反射の回数が半分
の５０回となりポリキャピラリからの出射強度が約５０％となる。従って、入射角度と出
射角度の関係は図４に示すような分布となる。
【００２７】
Ｘ線の波長が０．０８３nmより短い（エネルギーが１５keVより高い）Ｘ線では更に小
さな入射角度でないと平行ポリキャピラリを通過することができない。一方、長い波長（
低いエネルギー）のＸ線でも反射率は同程度なため、反射回数が多くなる大きな入射角度
では平行ポリキャピラリを通過することはできない。従って、ガラス管内壁径２００nm長
さ１０mmのモノキャピラリを束状に集めて形成したポリキャピラリ４は、角度発散が０．
１２度程度の平行なＸ線ビームのみを選択することが可能である。
【００２８】
このようなポリキャピラリ４によるコリメータの動作は通常の積層型のものでも可能で
あり、小型化した積層型コリメータを用いることも可能である。
【００２９】
このポリキャピラリ４の出射端４０２の側は、後述するようにポリキャピラリ４の出射
端４０２から出射したＸ線がＸ線検出器５の検出面上に収束するようにし、検出面の大き
さをＤ１よりも小さくできるようにしたので、図２で説明した構成と比べて、Ｘ線検出器
５の小型化を図れるようになった。
【００３０】
次に図３で、本発明の実施例で用いた平行キャピラリ型回折Ｘ線受光光学素子４の設計
について説明する。Ｘ線受光光学素子４の入射端４０１の側の開口径Ｄ１は前記（２）式
によるが、実用的な寸法であるＸ線ビーム径（ｄ）を１ｍｍ、試料位置のずれ（Ｌ）を±
２ｍｍとすると受光光学系の入射端４０１の側の開口径（Ｄ１）はおよそ９ｍｍ程度を必
要とする。Ｘ線検出器５としては、エネルギー分散型検出器であるシリコンドリフト型半
導体検出器（ＳＤＤ）で直径１０ｍｍのものが製品化されており、それを入手できるので
、平行ポリキャピラリの一端にＸ線検出器５として直接ＳＤＤをとりつけて使うことが可
能である。
【００３１】
ここでは、ポリキャピラリの特徴を活かして、Ｘ線検出器５の径の縮小を行う受光光学
素子を用いた。前記したＸ線波長０．０８３nm、エネルギー１５keVでは、石英表面の全
反射臨界角０．１２５度(２．２mrad)であるため１回の全反射で約０．２５度の反射角と
することが可能である。ポリキャピラリを受光部（Ｘ線の入射側）から滑らかに、回転楕
円面形状で直径を縮小していくと、ポリキャピラリ内壁での全反射により回折Ｘ線の径を
縮小することができる。全反射を２０回させるとして直線平均で約５度の口径縮小を行う
と、平行ポリキャピラリ部分からＴ２＝２４ｍｍ延長した部分で出射端４０２の側の開口
径が約６mmとなり、直径１０ｍｍの入射端４０１に入射した回折Ｘ線を集光して出射端４
０２から出射させることができる。このとき、全反射の反射率を０．９９とするとＸ線強
度の低下は約２０％に過ぎない。
【００３２】
このような縮小光学素子を使うことにより、Ｘ線検出器５として直径１０ｍｍの検出器
（面積８０ｍｍ２）に替わり、計算上直径６ｍｍ（面積２５ｍｍ２）の検出器とすること
ができる。現在大型のシリコンドリフト半導体検出器は価格も高く、エネルギー分解能の
特性的にも小型検出器が優れているため、小型の光学素子を利用するほうが有利である。
更に、断面を回転楕円面形状に形成した出射端４０２の側のＴ２＝５０ｍｍとすれば出射
端４０２の側の開口径を約２ｍｍとして、標準的に量産されている面積７ｍｍ２（直径３
ｍｍ）の安価な検出器を用いることができる。  
ここで示した計算値は全反射臨界角度を用いたものであるが、本発明の実施例では長さ
５０ｍｍで入射端４０１側の開口径１０ｍｍを出射端４０２の側で５ｍｍに縮小する滑ら
かな回転楕円面形状をもつポリキャピラリとした。このポリキャピラリは、入射したＸ線
を集光してＸ線検出器５の側に出射させれば良いので、形状については焦点に結ぶ必要が
なく、滑らかな２次元曲面形状とすることが可能である。
【００３３】
次に、図５を用いて本発明の実施例で用いたＸ線発生用Ｘ線管１、Ｘ線発生用高圧電源
７及び高圧電源及びシャッタ開閉制御９について説明する。Ｘ線発生用Ｘ線管１にはセラ
ミック絶縁の小型Ｘ線管を用いた。ガラス管型でも使用可能である。全体の回路構成で、
陽極（ターゲット）接地型とすると、熱陰極を用いた場合高圧絶縁型のフィラメント・ト
ランスが必要であるが、陰極接地型では高圧絶縁型フィラメント・トランス不要なため、
軽量化に有利であり、本実施例では陰極接地型とした。この場合、Ｘ線発生用Ｘ線管１で
発生する熱(１０Ｗ)は高電圧絶縁材料を介して、熱伝導によりＸ線計測装置本体で放熱す
る。
【００３４】
Ｘ線発生用高圧電源７には１２段の全波整流コッククロフト・ウヲルトン高圧昇圧整流
回路７０を用いた。コッククロフト・ウヲルトン高圧昇圧整流回路７０への高周波電力供
給はピエゾトランス７１により行った。単一のピエゾトランス７１で４ｋＶ−１０Ｗの供
給を行った。ピエゾトランス７１の動作周波数は約８０ｋＨｚである。ピエゾトランス７
１への電力供給は、高圧電源及びシャッタ開閉制御部９から±２４Ｖの高周波で行う。高
圧電源及びシャッタ開閉制御部９には８０ｋＨｚの高周波発信回路９１とＸ線発生用Ｘ線
管１の印加電圧から負帰還をかけデータ処理及び表示制御部１０により外部から設定した
電圧になるように制御される。
【００３５】
また、高圧電源及びシャッタ開閉制御部９にはＸ線発生用Ｘ線管１の電流制御のための
フィラメント電流制御部９２とＸ線シャッタ用のスイッチ回路９３を含んでいる。Ｘ線発
生用Ｘ線管１及びＸ線発生用高圧電源７は一体に高圧電源安全シールド７７の中にモール
ドされ、高圧電源安全シールド７７の外部端子は全て２４Ｖ以下の電圧として、使用・製
造及び調整・点検作業の安全を図っている。  
ここでは小型軽量化のためピエゾトランス７２を用いたが、多少の重量の増加で済む高
周波コイルトランスを用いることも可能である。
【００３６】
次に図６を用いてＸ線発生用高圧電源７の構造について説明する。Ｘ線発生用高圧電源
７はセラミック基板７５上にチップコンデンサ７３、チップダイオード７４、図６に記載
の無いチップレジスタを用いて形成した。これらのチップ部品は表面実装用のものを用い
、小型に構成した。コッククロフト・ウヲルトン高圧昇圧整流回路７０の１段を４ｋＶと
設定したため、４ｋＶ耐圧のチップコンデンサ７３と２ｋＶ耐圧のチップダイオード７４
を２個直列として、ブリッジ回路７２を構成し、１２逓倍全波整流回路とした。従って、
本発明の実施例では最大印加電圧４８ｋＶで定格使用電圧と電流を４０ｋＶ−０．２５ｍ
Ａとした。更に高電圧を必要とする場合は逓倍段数を増すことにより対応可能である。
【００３７】
Ｘ線発生用高圧電源７はセラミック基板７５の裏面には電圧負帰還制御用の電圧分割用
チップレジスタ（図示せず）が搭載されるとともに、ピエゾ（圧電）トランス７８を実装
している。ピエゾトランス７８は薄い長方形の短冊形状のため、小型の実装に最適である
。また、電磁高周波トランスと比較して、小型装置に採用する場合、電磁ノイズの観点か
らも優れている。ただし、その原理上高周波（８０ｋＨｚ）の振動をしているため、テフ
ロン（登録商標）製のケース７７に入れて基板上に実装した。
【００３８】
次に図７を用いて、本実施例を用いたＸ線回折測定について詳細を説明する。図７（ａ
）に示すように、Ｘ線発生用Ｘ線管１のＸ線焦点１５で発生したＸ線は試料照射用Ｘ線光
学素子３を通過するとともに、図７（ｂ）に示す防Ｘ線シールド部４０の試料面側に設け
られた試料照射Ｘ線透過窓２２を通して、試料２００に照射される。このとき試料２００
との接触部４１はタングステン（Ｗ）、タンタル（Ｔａ）や鉛（Ｐｂ）等の重金属で構成
されており、試料と密着させることにより、Ｘ線の漏洩が無いようにできている。更に、
使用時の安全性を高めるため、試料の形状に合わせて図に記載の無い重金属入りプラスチ
ック片がその外側に設置され、Ｘ線漏洩を防止している。更に、図に記載の無い近接スイ
ッチと試料観察用開口４２を通して光学的な計測を行う試料観察部６によるデータから防
Ｘ線シールド部４０の接触部４１が試料に接触しているかを確認した上で、シャッタ開閉
スイッチ１３のOn/OffによりＸ線の照射が制御される安全機構となっている。
【００３９】
試料２００に照射されたＸ線の一部は回折Ｘ線として回折Ｘ線検出透過窓３２を透過し
て回折Ｘ線受光光学素子４に入射し、Ｘ線検出器５に導かれＸ線回折データが測定される
。本実施例の場合、Ｘ線発生用Ｘ線管１にモリブデン(Ｍｏ)の対陰極（ターゲット）を用
い、試料照射Ｘ線角度（θ１）と回折Ｘ線取出し角度（θ２）を２０度に設定し、測定可
能なｄ値を０．７nmから０．０７nmとした。このとき使われるＸ線の波長範囲は０．５nm
から０．０７nmである。０．５nmの波長のＸ線（２．４keV）等０．３nm以上の波長のＸ
線は大気中で吸収されやすいため、Ｘ線照射部２０側の筐筒２１とＸ線検出部３０の筐筒
３１とは図示していない手段により内部が真空排気されている。本実施例の場合は完全な
真空封切り構造としたが、完全な真空封切りではなく、使用するときだけポンプで排気す
ることも可能である。
【００４０】
本実施例ではＸ線照射部２０側の筐筒２１及びＸ線検出部３０の筐筒３１と防Ｘ線シー
ルド部４０の接触部４１との間、及びＸ線照射部２０側の筐筒２１及びＸ線検出部３０の
筐筒３１と筐体５０との間は回転可動に保持されている。これにより、試料測定を行って
いるとき、筐体５０を手動で回転して測定データを折り畳み式データ表示部１５に表示す
ることが可能である。これにより、回転させながら計測を継続することで、平均化したデ
ータの取得が可能であり、正確で安定した計測が可能である。さらに、特定の回折パター
ンが現れる方向を特定でき、試料の中でＸ線回折を生ずる結晶がどのように配向している
かが計測できる。
【００４１】
回折Ｘ線を検出したＸ線検出器５から出力される検出信号の例を図８に示す。本実施例
では、Ｘ線検出器５としてエネルギー分散型のＳＤＤを用いている。ＳＤＤは、１画素の
センサーであるので、試料２００から回折角θ２の方向に回折したＸ線をポリキャピラリ
４の大きな径の入射端４０１に入射させ、それをＸ線検出器５の画素サイズ程度に収束さ
せて検出することは、検出感度を向上させる上で有効になる。
【００４２】
図８に示すような検出信号を受けた検出信号処理部８では、信号を処理して、試料２０
０の結晶格子間隔を算出する。
【００４３】
試料２００の結晶面の間隔ｄとピーク波長λとの関係は、ブラッグの条件式より、
２ｄsinθ＝λ      ・・・(数３)
と表される。ここで、θはＸ線の入射角である。
【００４４】
一方、  波長λ（nm）とエネルギＥ(keV)との間には
λ＝１２．４／Ｅ    ・・・(数４)
という関係が有るので、数１に数２を代入してＸ線の入射角度θを３０°としたとき、
ｄ＝１２．４／Ｅ    ・・・(数５)
と表される。
【００４５】
したがって、図８に示したような検出信号から数５の関係を用いて、結晶面間隔ｄを求
めることができる。
【００４６】
この求めた結晶間隔ｄのデータを用いて、内部応力と結晶間隔との関係から試料２００
の内部応力を求めることができる。
【００４７】
ここで、X線管１の陽極ターゲットとして、モリブデン（Ｍｏ）を用いたとき、３〜１
５ＫｅＶのエネルギー範囲のＸ線を検出することができるので、数５より試料２００の結
晶面の間隔ｄが０．４１〜０．０８３nmの範囲で検出することができる。
【００４８】
また、X線管１の陽極ターゲットとして、銀（Ａｇ）を用いたとき、３〜２０ｋｅＶの
エネルギー範囲のＸ線を検出することができるので、数５より試料２００の結晶面の間隔
ｄが０．４１〜０．０６２nmの範囲で検出することができる。
【００４９】
本実施例によれば、Ｘ線が照射された試料から発生してＸ線検出部３０の筐筒３１に入
射した回折Ｘ線からポリキャピラリ型の光学素子で平行成分だけを抽出できるようにした
ので、試料表面の高さが変動しても確実に回折Ｘ線の平行成分を検出することが可能にな
り、可搬型のＸ線回折装置の試料への取付けが容易になり、可搬型のＸ線回折装置を用い
て効率よく試料を分析することが可能になった。
【００５０】
さらに、試料表面の高さの変動がある程度の範囲で許容されるので、表面が粗い試料や
、表面が柔軟でうねりのあるような試料を分析することも可能になる。
【００５１】
また、ポリキャピラリ型の光学素子で回折Ｘ線を集光して検出するために、Ｘ線検出器
を小型化することが可能になり、可搬型のＸ線回折装置をより小型で軽量化することが可
能になった。
【符号の説明】
【００５２】
１・・・Ｘ線発生用Ｘ線管    ２・・・Ｘ線シャッタ    ３・・・試料照射用Ｘ線光学
素子    ４・・・回折Ｘ線受光光学素子    ５・・・Ｘ線検出器    ６・・・試料観察部
７・・・Ｘ線発生用高圧電源    ８・・・検出器信号処理部    ９・・・高圧電源及
びシャッタ開閉制御部    １０・・・データ処理及び表示制御部    １１・・・蓄電部  
１２・・・電源ケーブル    １４・・・シャッタ開閉スイッチ    １５・・・折り畳み式
データ表示部    ２０・・・Ｘ線照射部    ２１・・・筐筒    ２２…試料照射Ｘ線透過
窓    ３０・・・Ｘ線検出部    ３１・・・筐筒    ３２・・・回折Ｘ線検出透過窓    
４０・・・防Ｘ線シールド試料接触部    ４２・・・試料観察用開口    ５０・・・筐体
部    ７７・・・高圧電源安全シールド。
【図１】
2015062039.tif 000003
【図２】
2015062039.tif 000004
【図３】
2015062039.tif 000005
【図４】
2015062039.tif 000006
【図５】
2015062039.tif 000007
【図６】
2015062039.tif 000008
【図７】
2015062039.tif 000009
【図８】
2015062039.tif 000010
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
平行な連続波長のＸ線を試料に照射するＸ線照射手段と、
回折Ｘ線検出手段を備えて、前記Ｘ線照射手段により連続波長のＸ線が照射された試料で回折したＸ線のうち平行な成分の回折Ｘ線を前記回折Ｘ線検出手段を構成するＸ線検出素子の開口径以下の大きさに集光して検出する回折Ｘ線検出手段と、
前記回折Ｘ線を検出した前記回折Ｘ線検出手段から出力される信号を処理する信号処理手段と
を備え、
前記Ｘ線照射手段で前記試料に照射するＸ線の前記試料への入射角度（θ１）と前記回折Ｘ線検出手段で検出する回折Ｘ線の前記試料からの出射角度（θ２）は任意の値に固定され、
前記試料の位置は、前記試料照射Ｘ線の中心軸と前記回折Ｘ線の前記試料からの出射中心軸の交点である光軸中心に合致していないことを許容し、
前記信号処理手段は、前記回折Ｘ線検出手段から出力される信号を処理して前記試料の結晶面間隔（ｄ）を求めることが可能で、
ゴニオメータを用いないで構成されることを特徴とする人力で保持可能な可搬型Ｘ線回折装置。
【請求項２】
前記試料位置は、前記試料照射Ｘ線の中心軸と前記回折Ｘ線の前記試料からの出射中心軸の交点である光軸中心に合致していないことを許容するずれの範囲は、前記Ｘ線が照射された試料で回折したＸ線のうち平行な成分の回折Ｘ線の少なくとも一部が前記Ｘ線検出手段に検出される範囲であることを特徴とする請求項1記載の可搬型Ｘ線回折装置。
【請求項３】
前記試料の前記Ｘ線を照射する箇所を撮像する撮像手段と、
該撮像手段で撮像して得た画像を表示する表示手段とを更に備え、
前記試料の特定部分の顕微鏡画像を前記表示手段で観察しながらＸ線回折計測を行うことを可能にしたことを特徴とする請求項１又は２に記載の可搬型Ｘ線回折装置。
【請求項４】
前記Ｘ線照射手段は、
連続波長のＸ線を発生するＸ線管と、
該Ｘ線管で発生させたＸ線の光路を開閉するシャッタ手段と、
前記Ｘ線管で発生させたＸ線を平行化して試料に斜め方向から照射する照射光学手段と、
前記Ｘ線管と前記シャッタ手段と前記照射光学手段とを内装するＸ線照射部筐筒とを備え、
前記回折Ｘ線検出手段は、前記Ｘ線照射手段により前記連続波長のＸ線が照射された前記試料で回折したＸ線を入射させて平行な成分を集光する受光光学素子と、該受光光学素子で集光された回折Ｘ線を検出するＸ線検出素子と、前記受光光学素子と前記Ｘ線検出素子とを内装するＸ線検出部筐体とを備え、
さらに、試料接触部を含む防Ｘ線シールド部、並びに前記表示手段を保持する本体筐体部を備え、前記Ｘ線照射部筐筒及び前記Ｘ線検出部筐体と前記防Ｘ線シールド部、並びに前記Ｘ線照射部筐筒及び前記Ｘ線検出部筐体と前記Ｘ線検出部筐体は、回転可能に保持されていることを特徴とする請求項３記載の可搬型Ｘ線回折装置。
【請求項５】
前記照射光学手段は、スリットまたはポリキャピラリで形成されており、前記受光光学素子はポリキャピラリで構成され、該ポリキャピラリの前記試料からの回折Ｘ線が入射する側は平行に形成され、前記回折Ｘ線を出射する側はその断面が前記入射する側の断面よりも小さく形成されていることを特徴とする請求項４記載の可搬型Ｘ線回折装置。
【請求項６】
前記Ｘ線検出素子はエネルギー分散型の検出器で構成されており、前記エネルギ分散型の検出器は、シリコンドリフト型半導体検出器（ＳＤＤ）であることを特徴とする請求項４又は５に記載の可搬型Ｘ線回折装置。
【請求項７】
平行な連続波長のＸ線をＸ線照射手段で試料に照射し、
該Ｘ線が照射された前記試料で回折した回折Ｘ線から平行な成分を選択して該選択した回折Ｘ線の平行な成分を回折Ｘ線検出手段を構成する受光光学素子で集光し、
該受光光学素子で集光した回折Ｘ線をエネルギー分散型の検出器で検出し、
該検出器で検出して得た信号を処理するＸ線回折方法であって、
前記試料の位置が前記Ｘ線照射手段で前記試料に照射するＸ線の前記試料への入射Ｘ線中心軸と前記回折Ｘ線検出手段で検出する回折Ｘ線の前記試料からの出射Ｘ線中心軸の交点である光軸中心からずれている場合でも、前記回折Ｘ線の平行な成分の少なくとも一部分を検出して得た信号から前記試料の結晶面間隔（ｄ）を求めることを特徴とするＸ線回折方法。
【請求項８】
前記平行な連続波長のＸ線を、スリットまたはポリキャピラリを用いて形成し、前記試料で回折したＸ線から平行な成分を選択して集光させることを、前記試料で回折したＸ線をポリキャピラリに入射させ、前記ポリキャピラリに入射させた回折Ｘ線のうち平行な成分の回折Ｘ線を前記ポリキャピラリの前記回折Ｘ線が入射する側よりも径が小さい出射側から出射させることにより行うことを特徴とする請求項７記載のＸ線回折方法。
【請求項９】
試料のＸ線を照射する箇所を撮像し、
前記撮像された試料のＸ線を照射する箇所の画像を表示し、
前記試料の特定部分の顕微鏡画像を観察しながらＸ線回折計測することを特徴とする請求項８記載のＸ線回折方法。
【手続補正２】
【補正対象書類名】明細書
【補正対象項目名】００１２
【補正方法】変更
【補正の内容】
【００１２】
上記した目的を達成するために、本発明では、可搬型Ｘ線回折装置を、平行な連続波長のＸ線を試料に照射するＸ線照射手段と、回折Ｘ線検出手段を備えて、Ｘ線照射手段により連続波長のＸ線が照射された試料で回折したＸ線のうち平行な成分の回折Ｘ線を回折Ｘ線検出手段を構成するＸ線検出素子の開口径以下の大きさに集光して検出する回折Ｘ線検出手段と、Ｘ線検出器で回折Ｘ線を検出した回折Ｘ線検出手段から出力される信号を処理する信号処理手段とを備え、Ｘ線照射手段で試料に照射するＸ線の試料への入射角度（θ１）と回折Ｘ線検出手段で検出する回折Ｘ線の試料からの出射角度（θ２）は任意の値に固定され、試料の位置は、試料照射Ｘ線中心軸と回折Ｘ線の試料からの出射中心軸の交点である光軸中心に合致していないことを許容し、信号処理手段は、回折Ｘ線検出手段から出力される信号を処理して試料の結晶面間隔（ｄ）を求めることが可能で、ゴニオメータを用いないで構成され人力で保持可能なことを特徴とする。
【手続補正３】
【補正対象書類名】明細書
【補正対象項目名】００１３
【補正方法】変更
【補正の内容】
【００１３】
上記した目的を達成するために、本発明では、平行な連続波長のＸ線をＸ線照射光学系で試料に照射し、このＸ線が照射された試料で回折した回折Ｘ線から平行な成分を選択してこの選択した回折Ｘ線の平行な成分を回折Ｘ線検出光学を構成する受光光学素子で集光し、この受光光学素子で集光した回折Ｘ線をエネルギー分散型の検出器で検出し、この検出器で検出して得た信号を処理するＸ線回折方法であって、試料の位置がＸ線照射手段で試料に照射するＸ線の試料への入射Ｘ線中心軸と回折Ｘ線検出手段で検出する回折Ｘ線の試料からの出射Ｘ線中心軸の交点である光軸中心からずれている場合でも、回折Ｘ線の平行な成分の少なくとも一部分を検出して得た信号から試料の結晶面間隔（ｄ）を求めることを特徴とするＸ線回折方法とした。
【手続補正４】
【補正対象書類名】明細書
【補正対象項目名】００１４
【補正方法】変更
【補正の内容】
【００１４】
更に、上記した目的を達成するために、本発明では、試料の位置が試料への入射Ｘ線中心軸と試料からの出射Ｘ線中心軸の交点である光学中心軸からずれている場合でも、ポリキャピラリで構成された受光光学素子の回折Ｘ線画入射する側は平行に形成され、Ｘ線検出素子に接続されるポリキャピラリ出射側の断面積を入射側より小さくすることで、広い受光光学素子入射側に試料からの回折Ｘ線が入射すれば、面積が小さなＸ線検出素子でも試料からのＸ線回折が検出可能となる。従って、人力で保持可能なＸ線回折装置のＸ線回折計測を行う場所が、ポリキャピラリで構成された受光光学素子の入射面に試料からの回折Ｘ線が入射する条件の範囲内で、保持しているＸ線回折装置の位置を移動しても試料の分析に必要なＸ線回折データが得られるＸ線回折方法とした。
【手続補正５】
【補正対象書類名】明細書
【補正対象項目名】００１８
【補正方法】変更
【補正の内容】
【００１８】
図１は、本発明の実施例になる可搬型Ｘ線回折装置１００の全体構成を示す図である。
Ｘ線照射部２０側の筐筒２１の内部には、Ｘ線発生用Ｘ線管１、Ｘ線シャッタ２、試料照
射用Ｘ線光学素子３、Ｘ線透過用窓２２、試料観察部保持鏡筒１９（図７（ａ）参照）、Ｘ線検出部３０側の筐筒３１の内部にはＸ線透過窓３２、回折Ｘ線受光光学素子４、Ｘ線検出器５が内装されている。更に、試料観察部６、Ｘ線発生用高圧電源７、検出器信号処理部８、高圧電源及びシャッタ開閉制御部９、データ処理及び表示制御部１０、蓄電部１１、電源ケーブル１２、ハンドル１３、シャッタ開閉スイッチ１４、そして、折り畳み式データ表示部１５が筐体部５０に搭載されている。
【手続補正６】
【補正対象書類名】明細書
【補正対象項目名】００２０
【補正方法】変更
【補正の内容】
【００２０】
上記した構成において、Ｘ線発生用Ｘ線管１で発生したＸ線を、シャッタ開閉スイッチ
１４によりＸ線シャッタ２の開閉を行うことによって試料への照射のOn/Offを行う。シャ
ッタ開閉スイッチ１４によりシャッタ２が開の状態でＸ線発生用Ｘ線管１で発生したＸ線
は試料照射用Ｘ線光学素子３を透過して試料２００に照射される。  
試料照射用Ｘ線光学素子３は、Ｘ線発生用Ｘ線管１で発生したＸ線を平行化して試料２
００に照射する役割をもち、本実施例ではＸ線発生用Ｘ線管１のＸ線焦点１６と同様なサ
イズの開口をもつスリットを用いた。この試料照射用Ｘ線光学素子３には平行管タイプの
モノキャピラリであっても良いし、平行管タイプのモノキャピラリを複数束ねて形成した
ポリキャピラリ型の素子としてもよい。
【手続補正７】
【補正対象書類名】明細書
【補正対象項目名】００２２
【補正方法】変更
【補正の内容】
【００２２】
Ｘ線検出器５でＸ線を検出して得られたアナログ信号は検出器信号処理部８でデータ処
理可能なデジタル化され、データ処理及び表示制御部１０で処理され、その結果が折り畳
み式データ表示部１５に表示する。また、本実施例による可搬型Ｘ線回折計測装置１００
のＸ線回折計測のＸ線の光軸中心を図中の１点鎖線ａ及びｂで示す。
【手続補正８】
【補正対象書類名】明細書
【補正対象項目名】００３５
【補正方法】変更
【補正の内容】
【００３５】
また、高圧電源及びシャッタ開閉制御部９にはＸ線発生用Ｘ線管１の電流制御のための
フィラメント電流制御部９２とＸ線シャッタ用のスイッチ回路９３を含んでいる。Ｘ線発
生用Ｘ線管１及びＸ線発生用高圧電源７は一体に高圧電源安全シールド７７の中にモール
ドされ、高圧電源安全シールド７７の外部端子は全て２４Ｖ以下の電圧として、使用・製
造及び調整・点検作業の安全を図っている。  
ここでは小型軽量化のためピエゾトランス７１を用いたが、多少の重量の増加で済む高
周波コイルトランスを用いることも可能である。
【手続補正９】
【補正対象書類名】明細書
【補正対象項目名】００３７
【補正方法】変更
【補正の内容】
【００３７】
Ｘ線発生用高圧電源７はセラミック基板７５の裏面には電圧負帰還制御用の電圧分割用
チップレジスタ（図示せず）が搭載されるとともに、ピエゾ（圧電）トランス７１を実装
している。ピエゾトランス７１は薄い長方形の短冊形状のため、小型の実装に最適である
。また、電磁高周波トランスと比較して、小型装置に採用する場合、電磁ノイズの観点か
らも優れている。ただし、その原理上高周波（８０ｋＨｚ）の振動をしているため、テフ
ロン（登録商標）製のケース７７に入れて基板上に実装した。
【手続補正１０】
【補正対象書類名】明細書
【補正対象項目名】００３８
【補正方法】変更
【補正の内容】
【００３８】
次に図７を用いて、本実施例を用いたＸ線回折測定について詳細を説明する。図７（ａ
）に示すように、Ｘ線発生用Ｘ線管１のＸ線焦点１６で発生したＸ線は試料照射用Ｘ線光
学素子３を通過するとともに、図７（ｂ）に示す防Ｘ線シールド部４０の試料面側に設け
られた試料照射Ｘ線透過窓２２を通して、試料２００に照射される。このとき試料２００
との接触部４１はタングステン（Ｗ）、タンタル（Ｔａ）や鉛（Ｐｂ）等の重金属で構成
されており、試料と密着させることにより、Ｘ線の漏洩が無いようにできている。更に、
使用時の安全性を高めるため、試料の形状に合わせて図に記載の無い重金属入りプラスチ
ック片がその外側に設置され、Ｘ線漏洩を防止している。更に、図に記載の無い近接スイ
ッチと試料観察用開口４２を通して光学的な計測を行う試料観察部６によるデータから防
Ｘ線シールド部４０の接触部４１が試料に接触しているかを確認した上で、シャッタ開閉
スイッチ１４のOn/OffによりＸ線の照射が制御される安全機構となっている。
【手続補正１１】
【補正対象書類名】明細書
【補正対象項目名】００４４
【補正方法】変更
【補正の内容】
【００４４】
一方、  波長λ（nm）とエネルギＥ(keV)との間には
λ＝１.２４／Ｅ    ・・・(数４)
という関係が有るので、数１に数２を代入してＸ線の入射角度θを３０°としたとき、
ｄ＝１.２４／Ｅ    ・・・(数５)
と表される。
【手続補正１２】
【補正対象書類名】明細書
【補正対象項目名】００５２
【補正方法】変更
【補正の内容】
【００５２】
１・・・Ｘ線発生用Ｘ線管    ２・・・Ｘ線シャッタ    ３・・・試料照射用Ｘ線光学
素子    ４・・・回折Ｘ線受光光学素子    ５・・・Ｘ線検出器    ６・・・試料観察部
７・・・Ｘ線発生用高圧電源    ８・・・検出器信号処理部    ９・・・高圧電源及
びシャッタ開閉制御部    １０・・・データ処理及び表示制御部    １１・・・蓄電部  
１２・・・電源ケーブル    １４・・・シャッタ開閉スイッチ    １５・・・折り畳み式
データ表示部    １９・・・試料観察部保持鏡筒    ２０・・・Ｘ線照射部    ２１・・・筐筒    ２２…試料照射Ｘ線透過窓    ３０・・・Ｘ線検出部    ３１・・・筐筒    ３２・・・回折Ｘ線検出透過窓    ４０・・・防Ｘ線シールド試料接触部    ４２・・・試料観察用開口    ５０・・・筐体部    ７７・・・高圧電源安全シールド。
【手続補正１３】
【補正対象書類名】図面
【補正対象項目名】図１
【補正方法】変更
【補正の内容】
【図１】
2015062039.tif 000011
【手続補正１４】
【補正対象書類名】図面
【補正対象項目名】図２
【補正方法】変更
【補正の内容】
【図２】
2015062039.tif 000012
【手続補正１５】
【補正対象書類名】図面
【補正対象項目名】図３
【補正方法】変更
【補正の内容】
【図３】
2015062039.tif 000013
【手続補正１６】
【補正対象書類名】図面
【補正対象項目名】図６
【補正方法】変更
【補正の内容】
【図６】
2015062039.tif 000014
【手続補正１７】
【補正対象書類名】図面
【補正対象項目名】図７
【補正方法】変更
【補正の内容】
【図７】
2015062039.tif 000015
【手続補正１８】
【補正対象書類名】図面
【補正対象項目名】図８
【補正方法】変更
【補正の内容】
【図８】
2015062039.tif 000016